(57)【要約】本発明は、積層フィルム状またはシート状材料を格納し、供与するための容器に関する。この容器は、浅くて平たい容器からなり、積層材料を収容すると共に、底部と、そこに結合した閉じた側壁と、前記浅くて平たい容器を少なくとも部分的に取り囲む緊密シール・カバーとを有する。この目的のために、カバーは、スライド・カバーの形で設けられている。長手方向に対して平行な、浅くて平たい容器およびスライド・カバーの両側部は、平行な案内要素を備えている。浅くて平たい容器のすべての側壁は、スライド・カバーまで、容器開口部を取り囲む閉じた容器シール面を有する。スライド・カバーは、少なくとも部分的にまたはいくつかの領域において、浅くて平たい容器の３つの側壁および底部または対応する案内要素を取り囲んでおり、それによって、これらの側壁のうちの２つが、長手方向に対して平行となっている。容器が閉ざされたとき、カバー・シール面は、スライド・カバー内にあり、浅くて平たい容器シール面上に載る。本発明は、フィルム状またはシート状材料用の容器であって、繰り返し開放することができ、簡単な設計でありながら、ガス、湿気、芳香に関して高いシール機能を確保できる容器を提供する。
2005504687.tif 000002
【特許請求の範囲】
【請求項１】
底部(１１)および底部に隣接した閉じた側壁(１２〜１５、１４４)を有する積層材料(１)を受けるトレイ(１０、１１０)と、少なくとも部分的にこのトレイ（１０、１１０）を取り囲んでおり、それを緊密に閉じるカバー（３０、１３０）とからなる積層フォイル状またはシート状材料(１)を格納し、利用できるようにする容器であって、
カバー（３０、１３０）が、スライド・カバーとして設計されており、
トレイ（１０、１１０）およびスライド・カバー（３０、１３０）が、各々、長手方向(９)に対して平行な両側壁上に、相互に平行な案内要素（２１）および(５１)を有し、
トレイ（１０、１１０）のすべての側壁（１２〜１５）が、スライド・カバー（３０、１３０）に面して、トレイ開口(１９)を取り囲んでいる閉じたトレイ・シール面(１８)を有し、
スライド・カバー（３０、１３０）が、少なくとも部分的にまたはいくつかの領域において、３つの側壁（４２〜４４、１４４）および底部(１１)または対応する案内要素（２１）を把持しており、これらの側壁（４２、４３）のうちの２つが、長手方向(９)に対して平行になっており、
容器が閉ざされたときにトレイ・シール面(１８)上に位置するカバー・シール面（４８）が、スライド・カバー（３０、１３０）に設けてある
ことを特徴とする上記容器。
【請求項２】
容器が開放されたとき、トレイ開口(１９)の少なくとも２／５が露出することを特徴とする、請求項１に記載の容器。
【請求項３】
積層フォイル状またはシート状材料(１)を受けるために、トレイ（１０、１１０）の内部領域が、少なくとも材料(１)のシート平面において矩形となっていることを特徴とする、請求項１に記載の容器。
【請求項４】
トレイ・シール面(１８)およびカバー・シール面（４８）によって形成されるシール結合部(８)が、１つの平面に位置していることを特徴とする、請求項１に記載の容器。
【請求項５】
シール結合部(８)が、トレイ（１０、１１０）の底部(１１)に対して平行に配置されていることを特徴とする、請求項１に記載の容器。
【請求項６】
スライド・カバー（３０、１３０）が、トレイ（１０、１１０）から離れるように上方へ円弧を描いており、この円弧が、円筒体の側部を構成しており、この円筒体の中心線が、長手方向に対して横方向で、トレイ(１０)下方の底部(１１)に対して平行に位置していることを特徴とする、請求項１に記載の容器。
【請求項７】
把持用くぼみ（３２）がスライド・カバー（３０、１３０）の円弧状部に一体に形成されていることを特徴とする、請求項１または６に記載の容器。
【請求項８】
全周にわたって延びる下向きの肩部（６１）が、トレイ開口(１９)とトレイ・シール面(１８)との間に設けてあり、この肩部上に、一度固定されるとトレイ（１０、１１０）を閉ざすフォイル・シール（６５）が設けてあることを特徴とする、請求項１に記載の容器。
【発明の詳細な説明】
【技術分野】
【０００１】
本発明は、積層フォイル状またはシート状の材料を格納し、利用できるようにする容器であって、底面で積層材料を受けるトレイと、この底面に隣接する閉じた側壁と、このトレイを少なくとも部分的に取り囲み、緊密に閉鎖するカバーとからなる容器に関する。
【背景技術】
【０００２】
このような容器は、日本国実用新案登録出願５-２２３８０で知られている。カバーは、トレイ周縁をしっかりと把持しており、個々のフォイル状またはシート状材料を取り出すことができるようにフィルム・ヒンジによって、トレイに取り付けられたフラップを有する。フラップは、容器の側縁全体にわたって延びており、容器中心に向かってテーパが付いており、数回湾曲させた複雑なシール面を介してカバーおよびトレイ上に位置する。シール輪郭は、複雑な金型製作を必要とし、さらに漏出しやすい。
【発明の開示】
【発明が解決しようとする課題】
【０００３】
したがって、本発明は、フォイル状またはシート状材料用の繰り返し開けられる容器を得ることについての問題に基づいている。それは簡単な構造であるにもかかわらず、ガス、水分および芳香に関して非常に効果的なシール機能を保証する。
【課題を解決するための手段】
【０００４】
この問題は、特許請求の範囲の主請求項の態様によって解決される。このために、カバーはスライド・カバーとして設計される。トレイおよびスライド・カバーは、各々、長手方向に対して平行な両側部に、相互に平行なガイド要素を有する。トレイの側壁は、すべて、スライド・カバーに面して、トレイ開口を取り囲む閉じたトレイ・シール面を有する。スライド・カバーは、少なくとも部分的にまたはいくつかの領域で、トレイの３つの側壁および底部または対応するガイド要素を把持している。これらの側壁のうち２つは、長手方向に対して平行な向きとなっている。カバー・シール面は、容器を閉じたときにトレイ・シール面上に位置し、スライド・カバーに設けてある。
【０００５】
この容器は、扁平な摺動ボックスであり、たとえば手に持ってこのトレイに対してそのスライド・カバーを動かし容器を開けるようになっている。スライド・カバーおよびトレイは、可能な限り最大限の芳香保護を行えるように、簡単でしかも正確に製作できるシール結合を介して互いに重なっている。
【０００６】
本発明のさらなる詳細は、請求項および以下の概略的に示す図示した実施態様の説明から明らかとなる。
【０００７】
図１〜１１は、積層フォイル状またはシート状材料(１)を格納し、利用できるようにする小型軽量の容器の、部分的に異なっているいくつかの断面および図を示している。積層フォイル状またはシート状材料（ウェーハとも呼ぶ）は、いずれの場合でも、図では１つの積み重ねブロックとしてのみ示してある。積み重ねブロック(１)は、たとえば、およそ１×１1/3の面積を有する。高さは、およそ５ｍｍである。
容器幅は、容器長さのおよそ７３％であり、容器高さは、容器長さのおよそ１８％である。
【０００８】
図１〜５は、第１の容器形態を示している。この容器は、トレイ(１０)およびスライド・カバー（３０）からなる。閉じた状態において、トレイ(１０)およびスライド・カバー(３０)は、積み重ねブロック(１)を気密、湿密、芳香密に取り囲む。トレイ(１０)の高さは、容器長さのおよそ１２％に対応する。
【０００９】
トレイ(１０)は、底部(１１)と、この底部に少なくともほぼ垂直に隣接する３つの側壁（１２〜１４）とを有する。第４の側壁（前壁(１５)と呼ぶ）は、取り出しリップとして湾曲した形状に設計されており、その湾曲は、たとえば、円筒状壁の一部となっている。これに関連して、前壁(１５)は、底部(１１)から接線方向に延びている。曲率半径は、容器長さのおよそ３０％に対応する。この側壁(１５)が滑らかに上昇しているために、個々のウェーハは、トレイ(１０)から、たとえば指先を用いて容易に押し出す、または、引き出すことができる。
【００１０】
すべての側壁（１２〜１５）は、頂部に向かって、たとえば、平らなトレイ・シール面(１８)で終わっている。図示した実施態様においては、このトレイ・シール面は、底部(１１)に対して平行になっている（図５も参照）。側壁（１２〜１４）の上縁幅は、トレイ・シール面(１８)の領域でほぼ同じ幅である。前壁(１５)の上縁は、およそ二倍の縁幅を有する。前壁(１５)の内部輪郭からシール面(１８)までの縁移行部は、ここでは、丸くなっている。
【００１１】
底部領域において、２つの平行な側壁（１２、１３）は、４５度傾斜面（２４）および垂直面（２５）からなる鏡面対称の案内溝（２１）を有する。案内溝（２１）は、トレイの全長にわたって延びている。
【００１２】
スライド・カバー（３０）は、円弧状のカバー部分（３１）と、この部分に隣接した、少なくともトレイ領域で大部分平らである３つの側壁（４２〜４４）とからなる。容器を閉ざしたとき、側壁（４２〜４４）は、少なくとも複数の領域において、トレイ(１０)の対応する側壁（１２〜１４）の外面を押圧する。カバー部分（３１）の円弧全体は、たとえば、円筒体の側部に対応するものであり、その中心線は、長手方向(９)に対して横方向、そして、トレイ(１０)の底部(１１)に対して平行となっている。この円弧は、また、楕円体または別の湾曲した三次元表面の一部であってもよい。図示した実施態様の曲率半径は、容器長さのおよそ２６０％である。たとえば、カバー部分（３１）の前半分には、把持用くぼみ（３２）が形成してある。ここで、把持用くぼみは、ほぼ球面くぼみの形状を有し、その平均半径は、容器長さのおよそ２５０％である。スライド・カバーの外面にある把持用くぼみ（３２）は、ぎざ付き、こぶ付きもしくは粗面付きであるか、または、他の表面模様により提供されてもよい。
【００１３】
スライド・カバー（３０）の内面には、特に止めウェブ（３５）が設けてある（図１、２、４参照）。この止めウェブは、容器を開けたときに、トレイ（１０）がスライド・カバー（３０）から完全に外れるのを防ぐ。長手方向断面（図１参照）において、止めウェブ（３５）は、三角形となっており、その頂点は、スライド・カバー（３０）の前縁の領域に位置している。止めウェブ（３５）の下縁は、カバー中心に向かって下がり、たとえば、１つのトレイ壁の厚さ分だけトレイ・シール面(１８)下方に突出している。最大開口時には、トレイ(１０)の後部側壁(１４)は、止めウェブ（３５）の後縁と接触する（図２参照）。図２は、止めウェブ（３５）の立面図を示している。
【００１４】
止めウェブ（３５）の後方延長部において、通り越すことのできる止め突起（３６）が、後部側壁(１４)の直前でカバー部分（３１）に設けられている。この突起は、トレイ壁の厚さ分だけ、側壁(１４)との関係で前方へオフセットされている。この突起は、トレイ(１０)に面して、たとえば、半球状の輪郭を有する。図１によれば、容器が閉ざされたとき、後部トレイ側壁(１４)は、後カバー側壁（４４）と止め突起（３６）との間に把持される。このようにして、容器の意図しない開放が防止される。開閉時、トレイ(１０)は、弾力的に変形するこれら両容器部分（１０、３０）を備える、止め突起（３６）に押しつけられる。
【００１５】
スライド・カバー（３０）の側壁（４２、４３）は、トレイ(１０)の側壁（１２、１３）をＣ字形に取り囲む（図５〜７参照）。トレイ・シール面(１８)上方で、容器が閉ざされたときに平らなカバー・シール面（４８）を形成する側壁（４２、４３）は、内方へ広がっており、図５によれば、トレイ・シール面(１８)を覆っている。この拡大部は、後部側壁（４４）のところに位置する（図１、２、１０、１１参照）。スライド・カバー（３０）の前縁は、また、トレイ前縁の領域において、カバー・シール面（４８）の一部として形成されている。
【００１６】
下縁のところで、側壁（４２、４３）は、鏡面対称の案内ウェブ（５１）を有し、この案内ウェブは、いずれの場合においても、４５度傾斜面（５４）を介してトレイ(１０)の対応する案内溝（２１）を押圧する。
【００１７】
容器部分（１０、３０）は、弾性プラスチックで作ってあり、この弾性プラスチックは、スライド・カバー（３０）の側壁（４２、４３）が把持力でトレイ側壁（１２、１３）を押圧するように予整形される。容器部分（１０、３０）が相互接触した際に４５度傾斜面（２４、５４）は、締め付け力を発生し、この締め付け力が、カバー・シール面（４８）およびトレイ・シール面(１８)を相互に押圧させ、シール結合部(８)を形成する。
【００１８】
適切であるならば、シール結合部(８)の平面は、長手方向(９)と鋭角をなしてもよい（図１２、１３参照）。トレイ（１０、１１０）は、前部よりも後部において、小さいシール高さを有する。この場合、シール面（１８、４８）は、容器閉鎖移動時の最後の数ミリメートルにわたってのみ相互に接触する。これは、シール面（１８、４８）の摩擦負荷を低減する。これにより、シール面の薄くて、摩擦可能なシール・コーティングが可能になる。
【００１９】
スライド・カバー（３０）の前縁は、容器が開けられたとき、長手方向(９)に対して横方向にやや下向きに円弧を描くような形状となっている。容器を閉じる間に、スライド・カバー前縁はトレイ前縁上を摺動し、シール力をもたらす。
【００２０】
図６は、リップシールを有するシール結合部(８)を示している。この目的のために、シールリップ（５７、５８）を形成する内方に突出している突起が、容器部分（１０、３０）の側壁（１２〜１４、 ４２-４４）上に設けてある。図示した実施態様において、上方シールリップ（５７）は剛性であるが、下方シールリップ（５８）は弾力的であり、上方シールリップを押圧する。
【００２１】
図９〜１１は、スライド・カバー（１３０）が部分的にトレイ（１１０）まわりを、また、カバー底部（１８０）によって、容器横断面を完全に（普通のマッチ箱の場合と同様）把持している容器形態を示している。カバー底部（１８０）は、後部側壁（１４４）からトレイ底部(１１)の前端まで前方に延びている。このカバー底部（１８０）を用いることによって、先に説明した容器形態の個別の案内要素（２１、５１）の代わりに、側壁（１２、１３、４２、４３）およびカバー底部（１８０）を使用できる。
【００２２】
カバー底部（１８０）には、たとえば、２つのカットアウト部（１８１、１８２）が設けてあり、これらのカットアウト部は、カバー底部（１８０）を２つの底部ウェブ（１８３、１８４）に分割している。後部カットアウト部（１８２）は、側壁（１４４）内へ長く延びている（図１０参照）。両方のカットアウト部（１８１、１８２）は、ここでは、矩形の輪郭を有する。他の輪郭も同様に考えられる。
【００２３】
トレイ底部(１１)には、後部止め突起（１３６）および前部止めウェブ（１３５）が形成されている。前部止めウェブ（１３５）は、トレイ（１１０）がスライド・カバー（１３０）から完全に外れるのを防止する。この目的のために、止めウェブ（１３７）（原文のまま）は、錠止するように前部底部ウェブ（１８３）と接触する（止めウェブ（３５）の錠止機能参照）。長手方向断面において、止めウェブ（１３５）は、主として、三角形輪郭を有する（図１０、１１参照）。三角形の頂点は、後方に向いている。その結果として、初めて組み立てるとき、両方の容器部分（１１０、１３０）が弾力的に変形するから、トレイ（１１０）をスライド・カバー（１３０）内に押し込むことができる。後部止め突起（１３６）は、容器を閉じた状態に維持するための止めとしての機能を有し、容器が閉ざされたときに後部底部ウェブ（１８４）の後縁を押圧する。長手方向断面（図１０、１１参照）において、後部止め突起（１３６）は、前、後部のところで丸みが付けてあり、後部に向かって傾斜していて、初めての組み立てをより容易にすることができる。この傾斜は、図９に下から見た場合に液滴の輪郭で示してある。
【００２４】
図１〜５および９〜１１からの容器は、簡単な片手操作が可能となっている。この目的のためには、容器を人さし指と親指との間に挟む。スライド・カバー（３０）の後部側壁は手のひら側に向ける。次いで、親指を把持用くぼみ(３２)上に置く。次いで、トレイ(１０)を、やや曲げた人さし指に載せる。それから、容器を確実に保持しながら 親指を人さし指から離れる方向に後方へ引くと、スライド・カバー（３０）が開口止め（３５）まで後方に移動する。それから、手の基本位置を変えることなく、親指の先端で積み重ねブロック(１)の最上部シートをトレイ(１０)の前縁に沿って押し出し、それに合わせて腕の動作の後に舌で引っ張り出すことができる。
【００２５】
容器を閉じるには、手の基本的な位置を維持したまま、容器を閉じた状態に保つ止め突起(３６)まで、親指を曲げた人さし指上で前方に押す。ここで再び、容器は芳香密に閉ざされる。
【００２６】
カバー底部（１８０）を有するスライド・カバー（１３０）を有する容器は、親指と人さし指先端または人さし指端との間に保持する。人さし指先端で、カットアウト部（１８１）を介してトレイ（１１０）を把持する。
【００２７】
開放運動は、ばね（７１）を用いてサポート支援してもよい（図８参照）。この目的のために、数回折り曲げた曲げばね（７１）がトレイ(１０)の後部領域に配置される。容器が閉ざされるとき、この曲げばね（７１）は、後方に延長した側壁（１２、１３）と、同様に延長した底部(１１)とによって取り囲まれる。曲げばね（７１）は、たとえば、後部側壁(１４)の外面に接着する。後部側壁(１４)の前方でカバー部分（３１）には、キャッチ止め（７２）が設けてあり、これは、上方移動によってばね支援開放移動を行うのを可能にしている。この目的のために、カバー部分（３１）が僅かに上方へ円弧を描くように、側方カバー側壁（４２、４３）を手動力によって弾力的に変形させる。
【００２８】
図７は、二次包装として知られるものをなしで済ませ得る別の解決策を示している。この目的のために、フォイル・シール（６５）をトレイ(１０)内に配置するための、全周にわたって延びる下向き肩部(６１)が、トレイ・シール面(１８)の領域に設けてある。肩部（６１）の最大高さは、十分の数ミリメートルである。肩部の幅は、側壁（１２〜１４）のおよそ半分の肉厚に対応する。
【００２９】
フォイル・シール（６５）は、たとえば、肩部（６１）の平らなシール面（６２）上に止められ、トレイ(１０)を完全にシールする。図９において、フォイル・シール（６５）は、下から見て、点線で示してある。フォイル・シールは、たとえばトレイ（１０、１１０）の前縁を非対称的に越える切り取りタブ（６６）を備えている。フォイル・シール（６５）は、さらに、スタンプ加工した切り取り圧痕（６７）を有する。この圧痕は、図９では、二点鎖線で示してあり、容器を開いたときにスライド・カバー（３０、１３０）の前縁のすぐ前に位置する。切り取りタブ（６６）によって保持されたフォイル・シール（６５）を取り外すときに、シールは切り取り圧痕(６７)のところで完全に切り裂ける。
【００３０】
いかなる場合でも、少なくとも、トレイ（１０、１１０）は、芳香、たとえば精油を吸収しにくい射出成形可能な材料、たとえば、ポリプロピレン、ポリエチレン、ナフタレン、ポリエチレンテレフタレートまたはそれらに匹敵する材料で作る。適切であれば、材料は、少なくとも容器の内面で、たとえば、ＳｉＯｘでコーティングし、高度の芳香密を保証してもよい。フォイル・シール（６５）は、たとえば、アルミニウムをコーティングしたポリ塩化ビニル、ポリビニリデン二塩化物またはそれらに匹敵する材料で作る。
【００３１】
図１４および１５は、スライド・カバー(１０)と、湾曲したまたは傾斜した案内要素（２１、５１）が側壁（１２、１３、 ４２、４３）に配置されている容器を示している。たとえば、スライド・カバー壁（４２、４３）は、突出している案内輪郭を押圧し、トレイ側壁（１２、１３）は、対応する案内溝を有する。この容器において、カバー・シール面（４８）は、図１〜３に示す容器と同様に、底部(１１)に対して平行に配置されている。
【００３２】
カバー・シール面（４８）に対して或る角度をなすまっすぐな案内要素（図１４に鎖線で示す）の場合、シール面(１８)、(４８)は、開放移動中に比例的に互いから離れるように移動する。これに関連して、シール面(１８)、(４８)は、互いに平行に移動する。図１２〜１５による容器を開放するのに必要な作動力は、開放移動の最初の数ミリメートルの切り離し力に打ち勝った後は、シール面摩擦消滅により、図１〜１１による容器の場合よりもかなり小さい。
【００３３】
湾曲した案内要素（２１、５１）の場合、トレイ(１０)は、たとえば、スライド・カバー（３０）との関係で円を描いて移動する。この円の中心は、スライド・カバー（３０）下方の側壁（４４）の内部輪郭の延長部に位置する。この円の半径は、たとえば、容器長さのおよそ２５０％に対応するので、案内要素（２１、５１）の、トレイ(１０)に関しての前端は、底部(１１)と前部側壁（１５）との間の移行部で終わる。開放移動についての止めが、案内要素（２１、５１）に設けてある。
案内要素（２１、５１）の湾曲で、容器が開放された後のトレイ内容物(１)へのアクセスが便利となっている。
【図面の簡単な説明】
【００３４】
【図１】閉じた容器の長手方向断面図である。
【図２】開いた容器の長手方向断面図である。
【図３】開いた容器の頂面図である。
【図４】後部に向かって見た容器中央断面図である。
【図５】容器の部分側断面図である。
【図６】付加的なシールリップを有する容器の部分側断面図である。
【図７】付加的にフォイル・シールによって閉じたトレイを有する容器の部分側断面図である。
【図８】開口ばねを有する容器の部分長手方向断面図である。
【図９】下から見た全周スライド・カバーを有する開いた容器である。
【図１０】全周スライド・カバーを有する開いた容器の長手方向断面図である。
【図１１】図１０の閉じた容器である。
【図１２】容器に対して或る角度で延びているシール結合を有する、閉じた容器の長手方向断面図である。
【図１３】図１２の開いた容器である。
【図１４】湾曲したトレイ・ガイドを有するスライド・カバーの長手方向断面図である。
【図１５】図１４の開いた容器である。
【符号の説明】
【００３５】
１        フォイル状またはシート状材料、ウェーハ、積み重ねブロック、トレイ内容物
８            シール結合部
９            長手方向、摺動方向
１０、１１０  トレイ、容器部分
１１          底部、トレイ底部
１２、１３    側壁、右、左
１４          側壁、後部
１５          側壁、前部；前壁
１６          トレイの前縁、取り出しリップ
１８          トレイ・シール面
１９          トレイ開口
２１          案内要素、案内溝
２４          ４５度傾斜面
２５          垂直面
３０、１３０  蓋、スライド・カバー、容器部分
３１          蓋部分
３２          把持用くぼみ
３５、１３５  止めウェブ、開放止め
３６、１３６  止め突起、容器を閉じた状態に保つための止め
４２、４３    側壁、側部
４４、１４４  側壁、後部
４８          蓋シール面
５１          案内要素、案内ウェブ
５４          ４５度傾斜面
５７、５８    シールリップ、頂部、底部
６１          肩部
６２          シール面
６５          フォイル・シール
６６          切り取りタブ
６７          切り取り圧痕
７１          曲げばね
７２          キャッチ止め
１８０        蓋底部
１８１、１８２  カットアウト部、前部、後部
１８３、１８４  底部ウェブ、前部、後部
【国際公開パンフレット】
2005504687.tif 000003
2005504687.tif 000004
2005504687.tif 000005
2005504687.tif 000006
2005504687.tif 000007
2005504687.tif 000008
2005504687.tif 000009
2005504687.tif 000010
2005504687.tif 000011
2005504687.tif 000012
2005504687.tif 000013
2005504687.tif 000014
2005504687.tif 000015
2005504687.tif 000016
2005504687.tif 000017
2005504687.tif 000018
2005504687.tif 000019
2005504687.tif 000020
2005504687.tif 000021
2005504687.tif 000022
2005504687.tif 000023
【手続補正書】
【提出日】平成15年5月27日(2003.5.27)
【手続補正１】
【補正対象書類名】特許請求の範囲
【補正対象項目名】全文
【補正方法】変更
【補正の内容】
【特許請求の範囲】
【請求項１】
底部(１１)および底部に隣接した閉じた側壁（１２〜１５、１４４）を有する積層材料（１）を受けるトレイ（１０、１１０）と、少なくとも部分的にこのトレイ（１０、１１０）を取り囲んでおり、それを緊密に閉じるカバー（３０、１３０）とからなる積層フォイル状またはシート状材料(１)を格納し、利用できるようにする容器であって、
カバー（３０、１３０）が、スライド・カバーとして設計されており、
トレイ（１０、１１０）およびスライド・カバー（３０、１３０）が、各々、長手方向(９)に対して平行な両側壁上に、相互に平行な案内要素（２１）および(５１)を有し、
トレイ（１０、１１０）のすべての側壁（１２〜１５）が、スライド・カバー（３０、１３０）に面して、トレイ開口(１９)を取り囲んでいる閉じたトレイ・シール面(１８)を有し、第４の側壁（１５）が、摺動方向（９）において前部に位置しており、取り出しリップとして湾曲した形状に設計してあり、
スライド・カバー（３０、１３０）が、少なくとも部分的にまたはいくつかの領域において、３つの側壁（４２〜４４、１４４）および底部(１１)または対応する案内要素（２１）を把持しており、これらの側壁（４２、４３）のうちの２つが、長手方向(９)に対して平行になっており、
スライド・カバー（３０、１３０）が、トレイ（１０、１１０）から離れるように上方に円弧を描いており、その内側部で止めウェブ（３５）を押圧しており、この止めウェブの下縁が、スライド・カバー（３０、１３０）の前縁からカバーの中心まで、トレイ・シール面（１８）の下方へ下がって止めを形成しており、そして、
容器が閉ざされたときにトレイ・シール面(１８)上に位置するカバー・シール面（４８）が、スライド・カバー（３０、１３０）に設けてある、
上記容器。
【請求項２】
容器が開放されたとき、トレイ開口(１９)の少なくとも２／５が露出することを特徴とする、請求項１に記載の容器。
【請求項３】
積層フォイル状またはシート状材料(１)を受けるために、トレイ（１０、１１０）の内部領域が、少なくとも材料(１)のシート平面において矩形となっていることを特徴とする
、請求項１に記載の容器。
【請求項４】
トレイ・シール面(１８)およびカバー・シール面（４８）によって形成されるシール結合部(８)が、１つの平面に位置していることを特徴とする、請求項１に記載の容器。
【請求項５】
シール結合部(８)が、トレイ（１０、１１０）の底部(１１)に対して平行に配置されていることを特徴とする、請求項１に記載の容器。
【請求項６】
スライド・カバー（３０、１３０）の円弧が、円筒体の側部を構成しており、この円筒体の中心線が、長手方向に対して横方向で、トレイ(１０)下方の底部(１１)に対して平行に位置していることを特徴とする、請求項１に記載の容器。
【請求項７】
把持用くぼみ（３２）がスライド・カバー（３０、１３０）の円弧状部に一体に形成されていることを特徴とする、請求項１または６に記載の容器。
【請求項８】
全周にわたって延びる下向きの肩部（６１）が、トレイ開口(１９)とトレイ・シール面(１８)との間に設けてあり、この肩部上に、一度固定されるとトレイ（１０、１１０）を閉ざすフォイル・シール（６５）が設けてあることを特徴とする、請求項１に記載の容器。
【手続補正２】
【補正対象書類名】明細書
【補正対象項目名】０００２
【補正方法】変更
【補正の内容】
【０００２】
このような容器は、日本国実用新案登録出願５-２２３８０で知られている。カバーは、トレイ周縁をしっかりと把持しており、個々のフォイル状またはシート状材料を取り出すことができるようにフィルム・ヒンジによって、トレイに取り付けられたフラップを有する。フラップは、容器の側縁全体にわたって延びており、容器中心に向かってテーパが付いており、数回湾曲させた複雑なシール面を介してカバーおよびトレイ上に位置する。シール輪郭は、複雑な金型製作を必要とし、さらに漏出しやすい。
これに匹敵する容器が、米国特許第 ３，８８８，３５０号、米国特許第３，９８７，８９１号およびＤＥ７１２５６７６Ｕからも知られている。しかしながら、これらの容器は、それぞれ、平行六面体構造であり、前部トレイ壁が、容器底部に対して直角に向いている。これでは、積層フォイル状またはシート状材料を利用できるようにするのはかなり難しい。


【手続補正３】
【補正対象書類名】明細書
【補正対象項目名】０００３
【補正方法】変更
【補正の内容】
【０００３】
したがって、本発明は、フォイル状またはシート状材料用の繰り返し開けられる容器を得ることについての問題に基づいている。それは簡単な構造であるにもかかわらず、ガス、湿気および芳香に関して非常に効果的なシール機能を保証する。そして、フォイル状またはシート状材料を利用できるようにすることを支援する。


【手続補正４】
【補正対象書類名】明細書
【補正対象項目名】０００４
【補正方法】変更
【補正の内容】
【０００４】
この問題は、特許請求の範囲の主請求項の態様により解決される。この目的のために、トレイおよびスライド・カバーは、各々、長手方向に対して平行な両側部に、相互に平行なガイド要素を有する。トレイの側壁は、すべて、スライド・カバーに面して、トレイ開口を取り囲む閉じたトレイ・シール面を有する。摺動方向で前部に位置する第４の側壁が、取り出しリップとして湾曲した形状で設けてある。スライド・カバーは、少なくとも部分的にまたはいくつかの領域で、トレイの３つの側壁および底部または対応するガイド要素を把持している。これらの側壁のうち２つは、長手方向に対して平行な向きとなっている。スライド・カバーは、トレイから離れるように上方へ円弧を描いており、その内側部で止めウェブを押圧している。止めウェブの下縁は、スライド・カバーの前縁からカバー中心まで下がってトレイ・シール面の下方に止めを形成する。カバー・シール面は、容器を閉じたときにトレイ・シール面上に位置し、スライド・カバーに設けてある。


【手続補正５】
【補正対象書類名】明細書
【補正対象項目名】０００７
【補正方法】変更
【補正の内容】
【０００７】
図１〜１１は、積層フォイル状またはシート状材料(１)を格納し、利用できるようにする小型軽量の容器の、部分的に異なっているいくつかの断面および図を示している。積層フォイル状またはシート状材料（ウェーハとも呼ぶ）は、いずれの場合でも、図では１つの積み重ねブロックとしのみ示してある。たとえば、積み重ねブロック(１)は、およそ１インチ×１1/3インチの面積を有する。高さは、およそ５mmである。
容器幅は、容器長さのおよそ７３％であり、容器高さは、容器長さのおよそ１８％である。




【国際調査報告】
2005504687.tif 000024
2005504687.tif 000025
2005504687.tif 000026
2005504687.tif 000027